【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
乱数抽選により当選役を決定する抽選手段を含む遊技制御装置と、
決定された前記当選役を参照して演出制御を実行する演出制御装置と、を備えた遊技機であって、
前記遊技制御装置は、
決定された当選役に関する情報を含む遊技情報を前記演出制御装置に送信する送信手段と、
所定の条件に基づいて、前記遊技制御装置が制御する操作手段の操作に基づく遊技の進行を停止させるフリーズの実行を決定可能なフリーズ決定手段と、
前記フリーズ決定手段によるフリーズの実行の決定を禁止する禁止手段と、を備え、
前記演出制御装置は、所定の演出に関する処理を行う演出実行手段を備え、
前記禁止手段は、決定された前記当選役が特定の当選役であった場合に、前記フリーズの実行の決定を禁止し、
前記演出実行手段は、前記特定の当選役に関する遊技情報の受信に基づいて、前記所定の演出に関する処理を行うことを特徴とする遊技機。
【請求項２】
乱数抽選により当選役を決定する抽選手段を含む遊技制御装置と、
決定された前記当選役を参照して演出制御を実行する演出制御装置と、を備えた遊技機であって、
前記遊技制御装置は、
決定された当選役に関する情報を含む遊技情報を前記演出制御装置に送信する送信手段と、
所定の第１の条件に基づいて、前記遊技制御装置が制御する操作手段の操作に基づく遊技の進行を停止させるフリーズの実行を決定可能なフリーズ決定手段と、
前記フリーズ決定手段によるフリーズの実行の決定を禁止する禁止手段と、
所定の第２の条件に基づいて、一定の期間、特定の遊技制御を実行する特定遊技制御手段と、を備え、
前記演出制御装置は、所定の演出に関する処理を行う演出実行手段を備え、
前記禁止手段は、前記特定遊技制御手段により前記特定の遊技制御を実行している一定期間のうち、少なくとも一部の期間、前記フリーズ決定手段によるフリーズの実行の決定を禁止し、
前記演出実行手段は、前記特定の当選役に関する遊技情報の受信に基づいて、前記所定の演出に関する処理を行うことを特徴とする遊技機。
【請求項３】
複数の回転リール、各回転リールの回転を開始させるためのスタートスイッチ、及び対応する回転リールの回転を停止させるための複数のストップスイッチを備えた遊技機であって、
スタートスイッチ若しくはストップスイッチの操作に基づく遊技の進行を停止させるフリーズを実行可能であり、
所定条件の充足を契機に、フリーズを実行するか否かを抽選で決定するフリーズ抽選を行い、
フリーズ抽選を行う際に、この後に少なくとも１ゲームを実行するまでフリーズ抽選を禁止する禁止期間を設定することがあり、
フリーズ抽選によりフリーズを実行することを決定した場合に、禁止期間を設定したときには、禁止期間の経過後にフリーズを行うことを特徴とする遊技機。
【請求項４】
複数の回転リール、各回転リールの回転を開始させるためのスタートスイッチ、及び対応する回転リールの回転を停止させるための複数のストップスイッチを備えた遊技機であって、
スタートスイッチ若しくはストップスイッチの操作に基づく遊技の進行を停止させるフリーズを実行可能であり、
所定条件の充足を契機に、フリーズを実行するか否かを抽選で決定するフリーズ抽選を行い、
フリーズ抽選を行う際に、この後に少なくとも１ゲームを実行するまでフリーズ抽選を禁止する禁止期間を設定することがあり、
フリーズ抽選によりフリーズを実行することを決定した場合に、禁止期間を設定したときには、禁止期間の経過後にフリーズを行い、
フリーズを行ってから所定回数のゲームを実行するまでの期間（以下「フリーズ後期間」という）において、所定の演出を行うことがあり、
フリーズ後期間中に前記所定の演出を行う場合は、当該期間中にフリーズ抽選を行わないことを特徴とする遊技機。
【請求項５】
乱数抽選により当選役を決定する抽選手段を含む遊技制御装置と、
決定された前記当選役を参照して演出制御を実行する演出制御装置と、を備え、
前記遊技制御装置と前記演出制御装置との間では、前記遊技制御装置から前記演出制御装置への単方向通信のみが可能な遊技機であって、
所定の条件に基づいて、前記遊技制御装置が制御する操作手段の操作に基づく遊技の進行を停止させるフリーズの実行を決定可能なフリーズ決定手段と、
前記フリーズ決定手段によるフリーズの実行の決定を禁止する禁止手段と、を備えていることを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技機に関するものである。
【手続補正４】
【補正対象書類名】明細書
【補正対象項目名】０００６
【補正方法】変更
【補正の内容】
【０００６】
ところで、連続演出やフリーズ演出は、液晶ディスプレイ、スピーカ、ランプ等を用いるので、演出制御装置により制御されるが、フリーズは、回転リールの回転開始等に関わることなので、遊技制御装置により制御される。また、遊技制御装置が複数の当選役のいずれに当選かまたはハズレかの抽選を行うので、不正防止の観点から、信号の送信が遊技制御装置から演出制御装置への一方通行になっている。そのため、連続演出の途中にフリーズを開始した場合に、フリーズ演出が割り込んで実行中の演出が途中で打ち切られることがあった。
そこで、本発明は、上述のような問題に鑑みてなされたものであり、その目的とするところは、実行中の演出がフリーズの開始によって途中で打ち切られることを防止することである。
【手続補正５】
【補正対象書類名】明細書
【補正対象項目名】０００７
【補正方法】変更
【補正の内容】
【０００７】
（請求項１）
請求項１に記載の発明は、乱数抽選により当選役を決定する抽選手段（当選抽選手段130）を含む遊技制御装置(100)と、決定された前記当選役を参照して演出制御を実行する演出制御装置(300)と、を備えた遊技機であって、前記遊技制御装置(100)は、決定された当選役に関する情報を含む遊技情報を前記演出制御装置に送信する送信手段と、所定の条件に基づいて、前記遊技制御装置(100)が制御する操作手段の操作に基づく遊技の進行を停止させるフリーズの実行を決定可能なフリーズ決定手段（フリーズ抽選手段200）と、前記フリーズ決定手段(200)によるフリーズの実行の決定を禁止する禁止手段と、を備え、前記演出制御装置(300)は、所定の演出に関する処理を行う演出実行手段（連続演出実行手段370）を備え、前記禁止手段は、決定された前記当選役が特定の当選役であった場合に、前記フリーズの実行の決定を禁止し、前記演出実行手段(370)は、前記特定の当選役に関する遊技情報の受信に基づいて、前記所定の演出に関する処理を行うことを特徴とする。
（請求項２）
請求項２に記載の発明は、乱数抽選により当選役を決定する抽選手段(130)を含む遊技制御装置(100)と、決定された前記当選役を参照して演出制御を実行する演出制御装置(300)と、を備えた遊技機であって、前記遊技制御装置(100)は、決定された当選役に関する情報を含む遊技情報を前記演出制御装置に送信する送信手段と、所定の第１の条件に基づいて、前記遊技制御装置(100)が制御する操作手段の操作に基づく遊技の進行を停止させるフリーズの実行を決定可能なフリーズ決定手段(200)と、前記フリーズ決定手段(200)によるフリーズの実行の決定を禁止する禁止手段と、所定の第２の条件に基づいて、一定の期間、特定の遊技制御を実行する特定遊技制御手段と、を備え、前記演出制御装置(300)は、所定の演出に関する処理を行う演出実行手段(370)を備え、前記禁止手段は、前記特定遊技制御手段により前記特定の遊技制御を実行している一定期間のうち、少なくとも一部の期間、前記フリーズ決定手段(200)によるフリーズの実行の決定を禁止し、前記演出実行手段(370)は、前記特定の当選役に関する遊技情報の受信に基づいて、前記所定の演出に関する処理を行うことを特徴とする。
【手続補正６】
【補正対象書類名】明細書
【補正対象項目名】０００８
【補正方法】変更
【補正の内容】
【０００８】
（請求項３）
請求項３に記載の発明は、複数の回転リール(23)、各回転リール(23)の回転を開始させるためのスタートスイッチ(53)、及び対応する回転リール(23)の回転を停止させるための複数のストップスイッチ(54)を備えた遊技機であって、スタートスイッチ(53)若しくはストップスイッチ(54)の操作に基づく遊技の進行を停止させるフリーズを実行可能であり、所定条件の充足を契機に、フリーズを実行するか否かを抽選で決定するフリーズ抽選を行い、フリーズ抽選を行う際に、この後に少なくとも１ゲームを実行するまでフリーズ抽選を禁止する禁止期間を設定することがあり、フリーズ抽選によりフリーズを実行することを決定した場合に、禁止期間を設定したときには、禁止期間の経過後にフリーズを行うことを特徴とする。
（請求項４）
請求項４に記載の発明は、複数の回転リール(23)、各回転リール(23)の回転を開始させるためのスタートスイッチ(53)、及び対応する回転リール(23)の回転を停止させるための複数のストップスイッチ(54)を備えた遊技機であって、スタートスイッチ(53)若しくはストップスイッチ(54)の操作に基づく遊技の進行を停止させるフリーズを実行可能であり、所定条件の充足を契機に、フリーズを実行するか否かを抽選で決定するフリーズ抽選を行い、フリーズ抽選を行う際に、この後に少なくとも１ゲームを実行するまでフリーズ抽選を禁止する禁止期間を設定することがあり、フリーズ抽選によりフリーズを実行することを決定した場合に、禁止期間を設定したときには、禁止期間の経過後にフリーズを行い、フリーズを行ってから所定回数のゲームを実行するまでの期間（以下「フリーズ後期間」という）において、所定の演出を行うことがあり、フリーズ後期間中に前記所定の演出を行う場合は、当該期間中にフリーズ抽選を行わないことを特徴とする。
【手続補正７】
【補正対象書類名】明細書
【補正対象項目名】０００９
【補正方法】変更
【補正の内容】
【０００９】
（請求項５）
請求項５に記載の発明は、乱数抽選により当選役を決定する抽選手段(130)を含む遊技制御装置(100)と、決定された前記当選役を参照して演出制御を実行する演出制御装置(300)と、を備え、前記遊技制御装置(100)と前記演出制御装置(300)との間では、前記遊技制御装置(100)から前記演出制御装置(300)への単方向通信のみが可能な遊技機であって、所定の条件に基づいて、前記遊技制御装置(100)が制御する操作手段の操作に基づく遊技の進行を停止させるフリーズの実行を決定可能なフリーズ決定手段(200)と、前記フリーズ決定手段(200)によるフリーズの実行の決定を禁止する禁止手段と、を備えていることを特徴とする。
【手続補正８】
【補正対象書類名】明細書
【補正対象項目名】００１０
【補正方法】変更
【補正の内容】
【００１０】
本願発明によれば、実行中の演出がフリーズの開始によって途中で打ち切られることを防止することができる。